(57)【要約】【課題】日常生活に支障がなく、少量の尿漏れに対して不快な思いをしなくてすむ簡便な男性用尿漏れパッドを提供する。【解決手段】本男性用尿漏れパッド１０は、尿が放出される肌面側に配される液透過性シート２と男性用パンツ側に配される液不透過性シート１との間に尿吸収体が介装された平面状のパッド３から構成されており、液不透過性シート１の外表面には所定の位置に粘着部４が設けられている。粘着部４には粘着剤が塗布されており、未使用時は剥離紙で保護されている。【選択図】図１
0003125674.tif 000002
【実用新案登録請求の範囲】
【請求項１】
尿が放出される肌面側に配される液透過性シートと男性用パンツ側に配される液不透過性シートとの間に尿吸収体が介装された平面状のパッドからなり、前記液不透過性シートの外表面に粘着部が設けられていることを特徴とする男性用尿漏れパッド。
【請求項２】
尿が放出される肌面側に配される液透過性シートと男性用パンツ側に配される液不透過性シートとの間に尿吸収体が介装された平面状のパッドからなり、前記液不透過性シートの外表面に複数の突起が設けられていることを特徴とする男性用尿漏れパッド。
【請求項３】
一対の前記パッドの縁部同士を重ね合わせて重ね合わせ部を形成し、前記重ね合わせ部の長手方向両端部において前記パッド同士を接続し、当該重ね合わせ部の長手方向中間部を男性器の挿入口とすることを特徴とする請求項１または２に記載の男性用尿漏れパッド。
【考案の詳細な説明】
【技術分野】
【０００１】
本考案は、男性用尿漏れパッドに関する。
【背景技術】
【０００２】
老人、身障者、ケガ人、その他手術後の病人等、身体の不自由な男性のための尿漏れ防止具が考案されている。
例えば、特許文献１では、下部を袋状部とし、上部を取付部としたポリ紙等所要長さの可撓性帯状シート材の長手方向両側辺部を、それぞれ内側に所要巾折返して中央部に縦長状開口部を形成するとともに、各折返し片部の上方部および袋状部開口縁重合部を取付部および袋状部開口縁にそれぞれ接着したことを特徴とする男性用尿漏れ防止帯が開示されている。
また、特許文献２では、先端が閉塞され、後端を挿入口として、男性陰茎部を包被可能とする形状に形成された補強膜層の固定部となる部分を除いた外表面全面に吸水体を積層して一体化するとともに、吸水体の外表面全面を防水膜層で覆った尿漏れ処理用パットが開示されている。
【特許文献１】実開平６−１７７１７号公報
【特許文献２】特開平８−５２１６９号公報
【考案の開示】
【考案が解決しようとする課題】
【０００３】
身体が不自由でない場合でも、男性は、ある程度の年齢になると、少量の尿漏れを経験するようになる。少量の尿が男性用パンツに付着すると、その湿った感覚が更なる尿漏れを引き起こすことになる。また、尿漏れをおそれるあまり、頻尿を誘発する原因ともなる。
しかし、従来の尿漏れ防止具は、身体の不自由な男性を対象としているため、装着した状態で日常活動を行うには困難な形状となっている。
【０００４】
本考案は、上述する問題点に鑑みてなされたもので、日常生活に支障がなく、少量の尿漏れに対して不快な思いをしなくてすむ簡便な男性用尿漏れパッドを提供することを目的とする。
【課題を解決するための手段】
【０００５】
上記目的を達成するため、本考案に係る男性用尿漏れパッドは、尿が放出される肌面側に配される液透過性シートと男性用パンツ側に配される液不透過性シートとの間に尿吸収体が介装された平面状のパッドからなり、前記液不透過性シートの外表面に粘着部が設けられていることを特徴としている。
本考案では、平面状の男性用尿漏れパッドの一方の面を構成する液不透過性シートの外表面に粘着部を設けているので、男性用パンツの前面内側に男性用尿漏れパッドを容易に取り付けることができるだけでなく、男性用尿漏れパッドの脱落や位置ズレを防止することができる。また、平面状としているので、装着した状態で日常活動を行うことができる。
【０００６】
また、本考案に係る男性用尿漏れパッドは、尿が放出される肌面側に配される液透過性シートと男性用パンツ側に配される液不透過性シートとの間に尿吸収体が介装された平面状のパッドからなり、前記液不透過性シートの外表面に複数の突起が設けられていることを特徴としている。
本考案では、粘着部に替えて、液不透過性シートの外表面に複数の突起を設けることにより、突起の摩擦抵抗を利用して男性用尿漏れパッドの位置ズレを防止することができる。
【０００７】
また、本考案に係る男性用尿漏れパッドでは、一対の前記パッドの縁部同士を重ね合わせて重ね合わせ部を形成し、前記重ね合わせ部の長手方向両端部において前記パッド同士を接続し、当該重ね合わせ部の長手方向中間部を男性器の挿入口としてもよい。
本考案では、男性用尿漏れパッドに男性器の挿入口を設けることにより、便器に容易に排尿することができる。しかも、重ね合わせ部に挿入口を設けているので、平時は挿入口が塞がれ、挿入口から尿が男性用パンツに染み出すことがない。
【考案の効果】
【０００８】
本考案では、男性用尿漏れパッドの一方の面を構成する液不透過性シートの外表面に粘着部もしくは複数の突起を設けることにより、男性用パンツの前面内側に男性用尿漏れパッドを容易に取り付けることができるだけでなく、男性用尿漏れパッドの脱落や位置ズレを防止することができる。また、男性用尿漏れパッドが平面状とされているので、装着した状態で日常活動を行うことができる。
【考案を実施するための最良の形態】
【０００９】
以下、本考案に係る男性用尿漏れパッドの実施形態について図面に基づいて説明する。
【００１０】
図１は、本考案に係る男性用尿漏れパッドの第一の実施形態を示す斜視図であり、図２はそのＡ−Ａ矢視断面図である。
本男性用尿漏れパッド１０は、尿が放出される肌面側に配される液透過性シート２と男性用パンツ側に配される液不透過性シート１との間に尿吸収体５が介装された平面状のパッド３から構成されており、液不透過性シート１の外表面には所定の位置に粘着部４が設けられている。
【００１１】
図１では、パッド３の形状を矩形としているが、これに限るものではなく、円形や楕円形など他の形状でもよい。大きさは、矩形の場合、一辺の長さが３０〜１５０ｍｍ程度、円形の場合、直径が３０〜１００ｍｍ程度である。
【００１２】
液透過性シート２としては、例えば、 親水性の不織布、織布、あるいは 多孔性プラスチックフィルム等を用いることができる 。
【００１３】
一方、液不透過性シート１としては、例えば、 ポリエチレン等の液不透過性フィルムや 、液不透過性フィルムと不織布あるいは織布を貼り合わせた素材等を用いることができる 。
【００１４】
また、尿吸収体５は、少量の尿を吸収できるものであればよく、例えば、 綿状パルプ、高吸収性ポリマー、親水性シート等を用いることができる 。
【００１５】
粘着部４には粘着剤が塗布されており、未使用時は剥離紙（図示省略）で保護されている。 粘着剤としては、適度な接着性を有し、容易に剥がせるものであればよく、 例えば、スチレン系ポリマー、粘着付与剤および 軟化剤を主成分とするものや合成ゴム系のものを 用いることができる 。
【００１６】
図３は、本考案に係る男性用尿漏れパッドの第二の実施形態を示したものである。
本実施形態では、粘着部４に替えて、液不透過性シート１の外表面に複数の突起４ａ…が設けられており、突起４ａの摩擦抵抗を利用して男性用尿漏れパッド１０ａの位置ズレを防止するものである。
【００１７】
本考案では、平面状のパッド３の一方の面を構成する液不透過性シート１の外表面に粘着部４もしくは複数の突起４ａ…を設けることにより、男性用パンツの前面内側に男性用尿漏れパッド１０、１０ａを容易に取り付けることができるだけでなく、男性用尿漏れパッド１０、１０ａの脱落や位置ズレを防止することができる。また、男性用尿漏れパッド１０、１０ａが平面状とされているので、装着した状態で日常活動を行うことができる。
加えて、容易に取り外すことができるので、いつでもどこでも簡単に廃棄することができる。
【００１８】
なお、粘着部４や突起４ａの位置は、運動量の多い場合等、使用目的に応じて全面あるいは四隅等、適宜設定すればよい。
【００１９】
図４は、本考案に係る男性用尿漏れパッドの第三の実施形態を示す斜視図であり、図５はそのＢ−Ｂ矢視断面図である。
本男性用尿漏れパッド２０は、一対の前記パッド３、３の縁部同士を重ね合わせて重ね合わせ部６を形成し、重ね合わせ部６の長手方向両端部６ａ、６ａにおいてパッド３、３同士を固着して接続し、当該重ね合わせ部６の長手方向中間部を男性器の挿入口６ｂとするものである。
【００２０】
男性用パンツの前面内側に男性用尿漏れパッド１０、１０ａを取り付けている状態で便器に排尿する場合、トイレ内において男性用パンツを下ろす必要がある。
本実施形態では、男性用尿漏れパッド２０に男性器の挿入口６ｂを設けているので、トイレ内において男性用パンツを下ろさずに、便器に容易に排尿することができる。即ち、挿入口６ｂ からパッド３ の外側に男性器 を出し、さらに、それを男性用パンツ の前開きから男性用パンツ の外側に露出させることにより、 便器に排尿することができる。しかも、パッド３の中央部にスリットを設けるのではなく、重ね合わせ部６に挿入口６ｂを設けているので、平時は挿入口６ｂが塞がれ、挿入口６ｂから尿が男性用パンツに染み出すことがない。
【００２１】
以上、本考案に係る男性用尿漏れパッドの実施形態について説明したが、本考案は上記の実施形態に限定されるものではなく、その趣旨を逸脱しない範囲で適宜変更可能である。例えば、尿吸収体に消臭剤を添加し、男性用尿漏れパッドに消臭機能をもたせてもよいし、あるいは、液透過性シートや液不透過性シートとして肌触りの良い材質のものを用いてもよい。
【図面の簡単な説明】
【００２２】
【図１】本考案に係る男性用尿漏れパッドの第一の実施形態を示す斜視図である。
【図２】図１におけるＡ−Ａ矢視断面図である。
【図３】本考案に係る男性用尿漏れパッドの第二の実施形態を示す斜視図である。
【図４】本考案に係る男性用尿漏れパッドの第三の実施形態を示す斜視図である。
【図５】図４におけるＢ−Ｂ矢視断面図である。
【符号の説明】
【００２３】
１  液不透過性シート
２  液透過性シート
３  パッド
４  粘着部
４ａ  突起
５  尿吸収体
６  重ね合わせ部
６ａ  端部
６ｂ  挿入口
１０、１０ａ、２０  男性用尿漏れパッド
【図１】
0003125674.tif 000003
【図２】
0003125674.tif 000004
【図３】
0003125674.tif 000005
【図４】
0003125674.tif 000006
【図５】
0003125674.tif 000007